(57)【要約】【課題】  バッテリ保持が経年変化に拘らず確実であり、バッテリの抜脱操作が容易であり、操作性が良い背負式噴霧装置を提供する。【解決手段】  背負式噴霧装置は、噴霧機本体１０の左側面部１０ａに設けられた収容穴部１１とこれに挿着されるバッテリ７０とこれを収容穴部１１にロックするロック機構部８０とを有する。バッテリ７０が収容穴部１１に挿着されると、収容穴部１１に設けられた本体側電極とバッテリ７０に設けられたバッテリ側電極７４とが接合し、ロック機構部８０がバッテリ７０を収容穴部１１にロックする。ロック機構部８０はバッテリ７０の把手部７１に設けられた係止突起部８１と収容穴部１１に設けられた係合凹部８７とを有し、ロック機構部８０はバッテリ挿着状態で上下対向配置される。収容穴部１１の前側下部の縁部に前後方向に傾動可能なスイッチ部３１を備えた駆動スイッチ３０を設ける。【選択図】  図３
2006015208.tif 000002
【特許請求の範囲】
【請求項１】
作業者に背負われて使用され、噴霧機本体に収容された薬剤を噴霧する背負式噴霧装置であって、
前記噴霧機本体の側面部に開口した収容穴部と、
該収容穴部に挿抜可能に挿着されるバッテリと、
前記収容穴部に挿着されたバッテリを前記収容穴部にロックするロック機構部と、
前記収容穴部に設けられた本体側電極と、
前記バッテリに設けられたバッテリ側電極とを有し、
前記バッテリは、これが前記収容穴部に挿着されると、前記バッテリ側電極が前記本体側電極と接合するとともに、前記ロック機構部によって前記収容穴部にロックされることを特徴とする背負式噴霧装置。
【請求項２】
前記バッテリは、前記作業者が把手可能な把手部と、該把手部の一端側の側面部から突出して前記把手部より小断面積を有した挿抜部とを有し、
前記収容穴部は、前記挿抜部を挿嵌する挿嵌穴部と、該挿嵌穴部の他端側端部に繋がって前記作業者が前記把手部を握ったままで該把手部の挿抜操作が可能な挿抜穴部とを有し、
前記バッテリ側電極を前記挿抜部に設け、前記本体側電極を前記挿嵌穴部に設け、
前記挿抜部が前記挿嵌穴部に挿入されて前記把手部の一端側の側面部が前記挿嵌穴部と前記挿抜穴部との間に形成された段部に当接すると、前記バッテリ側電極及び前記本体側電極が接合することを特徴とする請求項１に記載の背負式噴霧装置。
【請求項３】
前記ロック機構部は、前記把手部及び前記挿抜穴部のいずれか一方に設けられた係合凹部と、前記把手部及び前記挿抜穴部のいずれか他方に設けられて前記係合凹部に係止可能な係止突起部とを有し、
前記係合凹部及び前記係止突起部を有してなるロック機構部は、上下に対向して配置され、
前記把手部に設けられた前記係合凹部又は前記係止突起部は、押圧操作されると、前記挿抜穴部に設けられた前記係止突起部又は前記係合凹部との係止状態が解除されることを特徴とする請求項２に記載の背負式噴霧装置。
【請求項４】
前記噴霧機本体の側面部に開口する前記収容穴部の開口部に、前記バッテリが前記収容穴部に挿着された状態で前記開口部を塞ぐ蓋体部を設けたことを特徴とする請求項１から３のいずれかに記載の背負式噴霧装置。
【請求項５】
前記収容穴部は、前記作業者に背負われた前記噴霧機本体の作業者左手側の側面部に設けられ、
前記収容穴部の周辺であって前記噴霧機本体が作業者に背負われたときの前記作業者の左腰部付近の前記噴霧機本体に駆動スイッチを設けたことを特徴とする請求項１から４のいずれかに記載の背負式噴霧装置。
【請求項６】
前記駆動スイッチは、前記噴霧機本体が作業者に背負われたときの前後方向に傾動可能なスイッチ部を備え、
前記スイッチ部は、前後方向のいずれか一方側に傾動操作されると、薬剤を噴霧する動力部に電力供給をし、前後方向のいずれか他方側に傾動操作されると、前記動力部への電力供給を遮断することを特徴とする請求項５に記載の背負式噴霧装置。
【請求項７】
前記駆動スイッチの下方の前記噴霧機本体に、外側に突出する保護部材を設けたことを特徴とする請求項６に記載の背負式噴霧装置。
【請求項８】
前記バッテリは、電動工具に用いられるものであることを特徴とする請求項１から７のいずれかに記載の背負式噴霧装置。
【発明の詳細な説明】
【技術分野】
【０００１】
本発明は、作業者に背負われて使用され、収容された薬剤を噴霧する背負式噴霧装置に関する。
【背景技術】
【０００２】
このような背負式噴霧装置は、作業者が噴霧装置を背負った状態で噴霧対象物の周辺を歩きながら噴霧作業を行なうようにして用いられるので、噴霧装置を駆動させる電源は作業者の移動を便利にするための装置内に収納可能なバッテリが用いられている。このようなバッテリは放電することから、バッテリの交換ができるようなバッテリ収納構造が提案されている（特許文献１及び２参照））。
【０００３】
特許文献１に記載の収納構造は、噴霧機本体の側部に設けられたバッテリケースと、バッテリケースの開口部を覆うバッテリケース蓋とを有してなる。バッテリケースは側部に開口部を形成した有底容器状である。バッテリケースの底面には孔部が形成され、この孔部の内側から延びるケーブルが孔部を通ってバッテリケース内に延出している。ケーブルの先端部には、バッテリに設けられたバッテリ側コネクタに連結可能なケーブル側コネクタが設けられている。バッテリは、バッテリ側コネクタとケーブル側コネクタとを連結した状態でバッテリケース内に挿入されて、バッテリケース蓋が閉じられることにより収納される。しかしながら、この特許文献１に記載の収納構造は、コネクタ同士の着脱作業が煩わしいので、特許文献２に記載のような収納構造が提案されている。
【０００４】
特許文献２に記載の収納構造は、噴霧機本体の側部に設けられた収容穴部を備える。収容穴部は一端側が開口して矩形状に延び、その上下両面に本体側電極が前後方向に延びて収容穴部内に露出している。収容穴部に挿着されるバッテリは複数の電池とこれを保持するバッテリ保持部とを有して構成される。バッテリ保持部は箱状であり、この上下両面には電池に電気的に接続されて本体側電極と接合可能なバッテリ側電極が設けられている。バッテリ側電極は、弾性変形可能な板状部材を凸状に折り曲げて形成されている。バッテリ保持部の一端側端部には、作業者がバッテリ保持部を保持するための取っ手が設けられ、この取っ手を把持した状態でバッテリ保持部は収容穴部に挿入される。バッテリ保持部が収容穴部に挿着されると、バッテリ側電極が弾性変形した状態で本体側電極と押圧接触して、これらの電極が電気的に接続される。
【０００５】
【特許文献１】実公平６−３２８２５号公報
【特許文献２】実公平７−１９２６５号公報
【発明の開示】
【発明が解決しようとする課題】
【０００６】
しかしながら、特許文献２に記載の収納構造では、バッテリ保持部の収容穴部への係止がバッテリ側電極による弾性変形による付勢力のみであり、バッテリの着脱操作が繰り返して多数回行われた場合には、バッテリ側電極が疲労して弾性劣化が生じる。その結果、作業中にバッテリが収容穴部から抜脱状態になる虞が生じ、バッテリが抜脱状態になると、動力部への電力供給が遮断されて噴霧作業が中断する虞が生じる。
【０００７】
また、バッテリに設けられた取っ手が破損すると、バッテリを収容穴部から抜脱することが困難になる。そこで、バッテリを収容穴部に挿着した状態でバッテリ保持部の一部を噴霧機本体から突出するようにしてもよいが、このようにすると、バッテリ保持部の突出した部分に他の物が引っ掛かる等の問題が生じる。このためバッテリは収容穴部内に完全に収納される必要がある。
【０００８】
また、特許文献２に記載の噴霧装置は、バッテリを収容穴部に挿着すると動力部が駆動するように構成されている一方、スロットルレバーによって動力部のスロットル開度を調整し、調整レバーによってタンクから流れ出る散布物の量を制御するシャッタの開度を調整するように構成されている。そして、これらのレバーは、作業者が噴霧装置を背負った状態で作業者の左腰部付近に配置されている。このため、作業者の左手を自らの左腰部付近に移動させた状態でこれらレバーを左手によって上下操作すると、左腕に負担がかかりこの上下操作は煩わしい。特に、高齢者等の体の柔軟性が低い作業者が噴霧装置を背負ったままでこれらのレバーを操作することは困難であり、近年の農作業従事者の高齢化にともない、操作性の良い噴霧装置の提供が望まれている。
【０００９】
本発明は、このような問題に鑑みてなされたものであり、バッテリ保持を経年変化に拘らず確実にし、バッテリの抜脱操作を容易にし、レバー等の操作性がよい背負式噴霧装置を提供することを目的とする。
【課題を解決するための手段】
【００１０】
このような課題を解決するため、本発明は、作業者に背負われて使用され、噴霧機本体に収容された薬剤を噴霧する背負式噴霧装置であって、噴霧機本体の側面部（例えば、実施形態における左側面部１０ａ）に開口した収容穴部と、該収容穴部に挿抜可能に挿着されるバッテリと、収容穴部に挿着されたバッテリを収容穴部にロックするロック機構部と、収容穴部に設けられた本体側電極と、バッテリに設けられたバッテリ側電極とを有し、バッテリは、これが収容穴部に挿着されると、バッテリ側電極が本体側電極と接合するとともに、ロック機構部によって収容穴部にロックされることを特徴とする。
【００１１】
この発明によれば、バッテリが収容穴部に挿着されると、バッテリ側電極が本体側電極と接合するとともに、ロック機構部によってバッテリが収容穴部にロックされる。このため、バッテリはロック機構部によって確実に収容穴部にロックされるので、ロック機構部が損傷しない限り、バッテリは確実に収容穴部にロックされる。このため、噴霧作業中にバッテリが収容穴部から抜脱状態になって動力部への電力供給が遮断される事態を未然に防止することができる。
【００１２】
また本発明は、バッテリは、作業者が把手可能な把手部と、該把手部の一端側の側面部から突出して把手部より小断面積を有した挿抜部とを有し、収容穴部は、挿抜部を挿嵌する挿嵌穴部と、該挿嵌穴部の他端側端部に繋がって作業者が把手部を握ったままで該把手部の挿抜操作が可能な挿抜穴部とを有し、バッテリ側電極を挿抜部に設け、本体側電極を挿嵌穴部に設け、挿抜部が挿嵌穴部に挿入されて把手部の一端側の側面部が挿嵌穴部と挿抜穴部との間に形成された段部に当接すると、バッテリ側電極及び本体側電極が接合することを特徴とする。
【００１３】
この発明によれば、挿抜部を挿嵌穴部に挿入して、把手部の一端側の側面部が挿嵌穴部と挿抜穴部との間に形成された段部に当接すると、バッテリ側電極及び本体側電極が接合することにより、作業者は、バッテリが収容穴部に確実に挿着されたことを認識するとともに、バッテリ側電極と本体側電極との電気的接続を確実に認識することができる。このため、挿着作業の作業性を向上させることができる。また把手部は作業者が把手可能に形成されているので、バッテリの収容穴部への着脱操作を容易にするとともに、脱着されたバッテリの持ち運びを容易にすることができる。
【００１４】
また本発明は、ロック機構部は、把手部及び挿抜穴部のいずれか一方に設けられた係合凹部と、把手部及び挿抜穴部のいずれか他方に設けられて係合凹部に係止可能な係止突起部とを有し、係合凹部及び係止突起部を有してなるロック機構部は、上下に対向して配置され、把手部に設けられた係合凹部又は係止突起部は、押圧操作されると、挿抜穴部に設けられた係止突起部又は係合凹部との係止状態が解除されることを特徴とする。
【００１５】
この発明によれば、ロック機構部を上下に対向配置し、把手部に設けられた係合凹部又は係止突起部は、押圧操作されると、挿抜穴部に設けられた係止突起部又は係合凹部との係止状態が解除されることにより、２つのロック機構部を同時に押圧操作しなければバッテリの抜脱操作ができないので、バッテリが容易に抜脱されることはなく、バッテリの挿着状態の保持を確実にすることができる。また、バッテリを抜脱した直後では、バッテリは作業者の掌内に収められた状態になるので、バッテリの抜脱操作を確実に行うことができるとともに、バッテリが作業者の手から落下する事態が抑制されてバッテリの損傷を防止することができる。
【００１６】
さらに本発明は、噴霧機本体の側面部に開口する収容穴部の開口部に、バッテリが収容穴部に挿着された状態で開口部を塞ぐ蓋体部を設けたことを特徴とする。
【００１７】
この発明によれば、収容穴部の開口部に蓋体部を設けることにより、外部の埃や水等からバッテリを保護することができ、特に噴霧作業中に噴霧された薬液からバッテリを保護することができる。その結果、収容穴部に設けられた電極や収容穴部周辺に設けられた電気部品等に繋がる電気系の故障を未然に防止することができる。
【００１８】
また本発明は、収容穴部は、作業者に背負われた噴霧機本体の作業者左手側の側面部に設けられ、収容穴部の周辺であって噴霧機本体が作業者に背負われたときの作業者の左腰部付近の噴霧機本体に駆動スイッチを設けたことを特徴とする。
【００１９】
この発明によれば、噴霧機本体が作業者に背負われたときの作業者の左腰部付近の噴霧機本体に駆動スイッチを設けたことにより、作業者が右手に噴管をもったままで駆動スイッチの操作を行うことができ、バッテリの着脱操作や駆動スイッチの動作確認を容易に行うことができる。
【００２０】
また本発明は、駆動スイッチは、噴霧機本体が作業者に背負われたときの前後方向に傾動可能なスイッチ部を備え、スイッチ部は、前後方向のいずれか一方側に傾動操作されると、薬剤を噴霧する動力部に電力供給をし、前後方向のいずれか他方側に傾動操作されると、動力部への電力供給を遮断することを特徴とする。
【００２１】
この発明によれば、スイッチ部が前後方向に傾動可能であり、スイッチ部は、前後方向のいずれか一方側に傾動操作されると、動力部に電力供給をし、前後方向のいずれか他方側に傾動操作されると、動力部への電力供給を遮断することにより、作業者が噴霧装置を背負い、作業者の左手を左腰部の周辺に移動させた状態で左手首を前後方向に動かすだけでスイッチ部を操作することができる。このため、駆動スイッチの操作性を向上させることができる。
【００２２】
さらに本発明は、駆動スイッチの下方の噴霧機本体に外側に突出する保護部材を設けたことを特徴とする。
【００２３】
この発明によれば、駆動スイッチの下方の噴霧機本体に外側に突出する保護部材を設けることにより、噴霧機本体を小石等の突起物が存在する地面に置く場合や、噴霧装置を運搬中に噴霧機本体が転倒した場合でも、駆動スイッチに突起物が接触したり他の物が当たったりする事態を未然に防止することができ、駆動スイッチを保護することができる。
【００２４】
また本発明は、バッテリが電動工具に用いられるものであることを特徴とする。
【００２５】
この発明によれば、バッテリを電動工具に用いられるものとすることで、背負式噴霧装置以外の装置で使用可能なバッテリを利用することができ、バッテリを含めた背負式噴霧装置全体の製造コストを安価にすることができる。
【発明の効果】
【００２６】
本発明に係わる背負式噴霧装置によれば、収容穴部に挿着されたバッテリを収容穴部にロックするロック機構部を設け、ロック機構部を上下に対向配置し、駆動スイッチのスイッチ部が噴霧機本体が作業者に背負われたときに前後方向に傾動可能にすることにより、バッテリ保持を経年変化に拘らず確実にし、バッテリの抜脱操作を確実に行うことができ、操作性が良い背負式噴霧装置を提供することができる。
【発明を実施するための最良の形態】
【００２７】
以下、本発明に係わる背負式噴霧装置の好ましい実施の形態を図１から図４に基づいて説明する。本実施形態の背負式噴霧装置は、液体を噴霧する背負式噴霧装置を例にして説明する。なお、説明の都合上、図1（斜視図）に示す矢印の方向を前後方向及び左右方向として以下説明する。
【００２８】
背負式噴霧装置１（以下、「噴霧装置１」と記す。）は、図1及び図２（斜視図）に示すように、有底容器状の噴霧機本体１０と、これに繋がる棒状の噴管６０と、噴霧機本体１０に挿着されるバッテリ７０とを有してなる。この噴霧装置１は、作業者（図示せず）が噴霧機本体１０を背中に背負って右手に噴管６０を持って噴霧作業を行なうようにして使用される。
【００２９】
先ず、噴霧装置１に挿着されるバッテリ７０について説明する。バッテリ７０は、図３（斜視図）に示すように、作業者が把ることができる把手部７１と、把手部７１の一端側の側面部７１ａから突出して把手部７１より小断面積を有した挿抜部７３とを有してなる。把手部７１は、図４（ｃ）（正面図）に示すように、略直方体形状であるとともに、前側が凸状に突出した前後非対象な形状を有している。挿抜部７３の断面形状は前後方向に延びる長孔状に形成されている。挿抜部７３の中心Ｐの位置は把手部の中心Ｑよりも前側にずれた位置に配置されている。挿抜部７３の先端側の上下両面にはバッテリ側電極７４、７５がそれぞれ取り付けられている。これらのバッテリ側電極７４、７５は、把手部７１及び挿抜部７３の少なくともいずれかの内部に収納された電池（図示せず）に電気的に接続されており、一方側の電極が＋電極、他方側の電極が−電極として機能する。
【００３０】
このようにバッテリ７０の把手部７１は、作業者が把手可能な大きさに形成されているので、バッテリ７０の図３に示す噴霧機本体１０への着脱操作が容易であるとともに、脱着されたバッテリ７０の持ち運びが容易である。また、把手部７１は前後非対象形状であるので、凸状側を前側にするようにバッテリ７０の向きを変えるだけで、バッテリ７０の向きを正しい向きにすることができ、バッテリ挿入操作の操作性を向上させることができる。
【００３１】
把手部７１の上面部７１ｂ及び下面部に７１ｃには、ロック機構部８０の一部を構成する係止突起部８１が設けられている。ロック機構部８０は、この係止突起部８１と後述する図３に示す噴霧機本体１０の収容穴部１１に設けられて係止突起部８１を係止させる係合凹部８７とを有する。係止突起部８１は、図４（ａ）（平面図）に示すように、上下方向に弾性変形可能に支持された押圧板部８２の前側端部に外側方向に突出するように形成されている。係止突起部８１は、押圧板部８２が押圧操作されると、挿抜部７３側に接近するように移動し、押圧板部８２の押圧操作が解除されると、挿抜部７３から離反する側に移動して元の位置に戻る。これらの係止突起部８１、８１は対向するように配置されている。
【００３２】
このように構成されたバッテリ７０が挿着される噴霧機本体１０は、図1に示すように、その前側下部に背当て５０を有し、前側に上下方向に延びる一対の背負バンド５２が取り付けられて構成されている。作業者は背中を背当て５０に当てた状態で一対の背負バンド５２を対応する肩に掛けるようにして噴霧機本体１０を背負う。
【００３３】
噴霧機本体１０の上部内側には有底容器状の薬液タンク５４が内蔵され、薬液タンク５４の上部に開口した注入口から薬液が注入され、注入口にはキャップ５５が着脱可能に取り付けられている。薬液は、例えば、害虫や雑草等を駆除する防除用の薬剤を溶かした水溶液である。噴霧機本体１０の下部には図示しないポンプ及びモータが収納されており、ポンプは薬液を吸引して一定の圧力に昇圧して噴管６０に吐出するように作動し、モータはバッテリからの電力供給を受けて駆動してポンプを回転駆動させる。
【００３４】
噴霧機本体１０の左側面部１０ａの下部には、左側面部１０ａに開口してバッテリを収容可能な前述した収容穴部１１が設けられている。収容穴部１１は、図３に示すように、略矩形状に開口して噴霧機本体１０の内側に延びる挿抜穴部１２と、挿抜穴部１２の先端部に繋がって噴霧機本体１０の内側に延びる挿嵌穴部１４とを有してなる。挿抜穴部１２は、作業者がバッテリ７０の把手部７１を把ったままでバッテリ７０の挿抜操作が可能な大きさを有する。なお、挿抜穴部１２の断面形状は矩形状に限らず、円形状、多角形状でもよい。挿嵌穴部１４は、断面形状が前後方向に延びる長孔状に形成されるとともに、挿抜部７３の断面形状と相似形であって挿抜部７３を挿嵌可能である。また挿嵌穴部１４は、挿抜穴部１２の断面積よりも小さな断面積を有する。このため、挿嵌穴部１４と挿抜穴部１２との間には段部１６が形成されている。段部１６は側面視において環状に形成されている。挿嵌穴部１４の中心は挿抜穴部１２のそれよりも前側にずれている。これは、バッテリ７３に設けられた２つのバッテリ側電極７４、７５の向きが正しい方向に向けられた状態にあるときのみバッテリ７０の挿入を可能にするためである。挿嵌穴部１４の先端側の上面及び下面には、図４（ｂ）（側面図）に示すように、本体側電極１８がそれぞれ取り付けられている。これら本体側電極１８はモータに電気的に接続されている。
【００３５】
本体側電極１８は、バッテリ７０の挿抜部７３が挿嵌穴部１４に挿入されて把持部７１の挿抜部側の側面部７１ａが段部１６に当接すると、対応するバッテリ側電極７４、７５と接合するように配置されている。このため、作業者は把持部７１が段部１６に当接したことを確認することで、本体側電極１８とバッテリ側電極７４、７５とが接合状態になることを確実に認識することができる。
【００３６】
再び図３に示すように、段部１６の上面部及び下面部には、ロック機構部８０の他の一部を構成する係合凹部８７が設けられている。係合凹部８７は、段部１６の中心側に開口するように設置されるとともに、対向するように配置されている。そして、係合凹部８７は、バッテリ７０が収容穴部１１に挿着されると、対応する係止突起部８１を係止する位置に配置されている。このため、バッテリ７０の上側に配置された係止突起部８１と段部１６の上側に配置された係合凹部８７からなるロック機構部８０と、バッテリ７０の下側に配置された係止突起部８１と段部１６の下側に配置された係合凹部８７からなるロック機構部８０からなる２つのロック機構部８０、８０を同時に押圧操作しなければ、バッテリ７０の抜脱操作ができないことになる。その結果、バッテリ７０が容易に脱着されることはなく、バッテリ７０の保持を確実にすることができる。また、バッテリ７０を抜脱した直後では、バッテリ７０は作業者の手によってバッテリ上下両面が把持されているので、つまり、バッテリ７０は作業者の掌内に収められた状態になるので、バッテリ７０の抜脱操作を確実に行うことができるとともに、バッテリ７０が作業者の手から落下する事態が抑制されて、バッテリの損傷を未然に防止することができる。なお、バッテリ７０は電動工具等で使用されるものを用いてもよい。このようにバッテリ７０を電動工具等で使用されるものをそのまま利用可能にすることで、バッテリ７０を含めた背負式噴霧装置全体の製造コストを安価にすることができる。
【００３７】
収容穴部１１の開口部１１ａには、後端側がヒンジ結合されて前後方向に揺動自在であって開口部１１ａを塞ぐ蓋体部２０が設けられている。蓋体部２０の先端部にはロック部２１が設けられ、蓋体部２０が開口部１１ａを塞ぐと、ロック部２１によって蓋体部２０がロックされる。ロック部２１は、前述したロック機構部８０と同様な構成であるので、その説明は省略する。このように蓋体部２０を収容穴部１１の開口部１１ａに設けることにより、外部の埃や水等からバッテリ７０を保護することができ、特に噴霧作業中に噴霧された薬液からバッテリ７０を保護することができる。また、収容穴部１１に設けられた電極や収容穴部周辺に設けられた後述する駆動スイッチ等の電気部品の故障を未然に防止することができる。
【００３８】
収容穴部１１の開口部１１ａにおける前側下部の縁部には、駆動スイッチ３０が設けられている。この駆動スイッチ３０は、噴霧機本体１０が作業者に背負われたときに、作業者の左腰部付近に位置するように配置されている。駆動スイッチ３０は、いわゆるトグルスイッチであり、前後方向に傾動可能なスイッチ部３１を備える。スイッチ部３１は前後方向前側に傾動操作されると、モータに電力供給をし、前後方向後側に傾動操作されると、モータへの電力供給を遮断するように構成されている。このため、作業者が噴霧機本体１０を背負い、作業者の左手を左腰部周辺に移動させた状態で左手首を前後方向に動かすのみで、スイッチ部３１を操作することが可能となり、駆動スイッチ３０の操作性を向上させることができる。また駆動スイッチ３０は収容穴部１１の近傍位置に配置されているので、収容穴部１１のメンテナンスの際に駆動スイッチ３０のメンテナンスも同時に行うことができ、メンテナンス作業の作業性を向上させることができる。なお、スイッチ部３１の傾動方向と電力供給との関係は前述した内容に限るものではなく、スイッチ部３１が後側に傾動操作されるとモータに電力が供給され、前側に傾動操作されるとモータへの電力供給が遮断されるようにしてもよい。
【００３９】
駆動スイッチ３０の下方近傍位置には外側へ突出して前後方向に延びる保護部材３５が設けられている。保護部材３５は、スイッチ部３１の突出長さと同程度又はスイッチ部３１のそれより大きな突出長さを有している。このため、噴霧機本体１０を小石等の突起物が存在する地面に置いたり、噴霧装置１の運搬中に噴霧機本体１０が転倒したりしたときでも、駆動スイッチ３１に突起物が接触したり他の物が当たったりすることはなく、駆動スイッチ３１の損傷を未然に防止することができる。
【図面の簡単な説明】
【００４０】
【図１】本発明の一実施の形態に係わる背負式噴霧装置の斜視図を示す。
【図２】バッテリが装着された噴霧機本体の斜視図を示す。
【図３】バッテリが未装着の噴霧機本体の斜視図を示す。
【図４】バッテリを示し、同図（ａ）はバッテリの平面図であり、同図（ｂ）はバッテリの側面図であり、同図（ｃ）はバッテリの正面図である。
【符号の説明】
【００４１】
１  背負式噴霧装置
１０  噴霧機本体
１０ａ  左側面部（側面部）
１１  収容穴部
１１ａ  開口部
１２  挿抜穴部
１４  挿嵌穴部
１６  段部
１８  本体側電極
２０  蓋体部
３０  駆動スイッチ
３１  スイッチ部
３５  保護部材
７０  バッテリ
７１  把手部
７３  挿抜部
７４、７５  バッテリ側電極
８０  ロック機構部
８１  係止突起部
８７  係合凹部
【図１】
2006015208.tif 000003
【図２】
2006015208.tif 000004
【図３】
2006015208.tif 000005
【図４】
2006015208.tif 000006